(57)【要約】【課題】この発明は、先染めの糸を用いて柄を表現する方法でありながら、少ない種類の糸により、色彩豊かで精密な模様を表現できる織布技術を提供することを目的とする。【解決手段】上記の目的を解決するために、この発明の織布方法は、それぞれ色の異なる複数の糸２ａ、２ｂを所定の順序で並べたものを組２とし、この組２を繰り返し配置して織布する方法で、この組から複数の糸を近接した位置において織物１の表側に出して、これらの糸の色の中間色を織物の柄に表現するものである。【選択図】図１
2005206965.tif 000002
【特許請求の範囲】
【請求項１】
それぞれ色の異なる複数の糸を所定の順序で並べたものを組とし、この組を繰り返し配置して織布する方法で、この組から複数の糸を近接した位置において織物の表側に出して、これらの糸の色の中間色を織物の柄に表現する織布方法。
【請求項２】
上記糸が経糸である請求項１に記載の織布方法。
【請求項３】
上記糸が緯糸である請求項１に記載の織布方法。
【請求項４】
６本のそれぞれ色の異なる糸を組にする請求項１ないし請求項３のいずれかに記載の織布方法。
【請求項５】
請求項１ないし請求項４のいずれかに記載の織布方法で織られる織物。
【発明の詳細な説明】
【技術分野】
【０００１】
本発明は、先染めした糸を用いて織布し、織物上に模様を表現する技術に関するものである。
【背景技術】
【０００２】
布地に柄を表す方法を大別すると、予め複数の色で染色された原料の糸を適宜組合せながら織って柄を表す先染めと、無地の布地を織った後に印刷する後染めがある。
【０００３】
先染めの方法により模様を表現することは古くから行われているが、このようにして作られる織物には独特の味わいがあり、近年また人気を得つつある。しかし、後染めによる織物においては、織物上のある点にある色を表現する場合には、その色の経糸または緯糸を用意して、その点においてその色の糸を織物の表側に出すことによって表現する。したがって、多数の色を用いて精密な柄を表現することは困難である。表現しようとする色の数だけの糸を用意しなければならず、手工芸的に手間隙をかけて少量生産を行う場合は別として、需要者が容易に購入できる廉価なものを工業的に生産することは行いにくい。また、経糸の色の違いによって柄を表現する場合、ある色の経糸に沿った部分はその経糸の色か緯糸の色に限定されるために、表現できる柄が限定される。これは、緯糸の色の違いによって柄を表現する場合も同様である。
【０００４】
特許文献１には、陰影模様を備えた帯に関する発明が提案されており、異なる色の緯糸を交互に浮き沈みさせて融合色を形成することが記載されている。その例として、例えば金色・銀色・黒色の３色の糸を使用した場合には、７種類の色彩表現ができることが記載されている。
【特許文献１】特許第３１６０８０３号特許公報
【発明の開示】
【発明が解決しようとする課題】
【０００５】
従来の先染めによる織布方法では、表現できる色が限定されており、精密な模様を表現することができないことは既に述べた。また、この方法では、織物の柄を変えるたびに使用する糸を変更する必要がある。特に経糸の色によって模様を表現する場合、その模様にあった順序に糸を並べて整経する必要があり、模様の変更は大きな負担となる。したがって、同一の模様を大量生産することはできても、多種の模様の織物をそれぞれ少量生産すれば、コストがかかることから製品が高価にならざるを得ない。
【０００６】
特許文献１に記載の技術によれば、融合色を形成することにより糸の色の数以上の種類の色が表現できるように見える。しかし、融合色を形成する方法については「異なる色の緯糸を交互に浮き沈みさせて」と記載されているのみで、具体的にどのように実施するかは明らかでない。特許文献１は和服の袋帯等に関する技術と見られ、組織の細かさ等を変更したりしながら緯糸を重ねて織り込むような複雑な作業を前提にしているようであり、平織り等の通常の量産織物に適用できるようには見られない。
【０００７】
この発明は、先染めの糸を用いて、色彩豊かで精密な模様を表現でき、しかも、簡易な装置・工程で実施できる織布技術を提供すことを目的とする。
【課題を解決するための手段】
【０００８】
上記の目的を解決するために、この発明の織布方法は、それぞれ色の異なる複数の糸を所定の順序で並べたものを組とし、この組を繰り返し配置して織布する方法であり、この組から複数の糸を近接した位置において織物の表側に出して、これらの糸の色の中間色を織物の柄に表現するものである。それぞれ色の異なる複数の糸を所定の順序で並べたものを組とするのは、経糸でもよく、また緯糸でもよい。この糸の組は、５本〜８本のそれぞれ色の異なる糸で構成することができ、特に６本を組にすることが好ましい。
【０００９】
さらに、この発明の織物は、上述の織布方法によって織られるものである。
【発明の効果】
【００１０】
この発明は、織布前に経糸を染色して織物に柄を表すものでありながら、少ない種類の糸を使用して、色彩豊かで精密な柄を表現することができる。柄を変更しても、使用する糸の種類や整経ボビン上の糸の配列を変更する必要がないので汎用性が高く、多種の織物の少量生産を低コストでできるという効果も有する。
【発明を実施するための最良の形態】
【００１１】
この発明を実施するための最良の形態について図面に基づいて説明する。図１は、この発明の織布方法および織物を示す説明図である。
【００１２】
この発明の織物１は、経糸２ａ、２ｂ、２ｃ…と緯糸３を組合わせて織られたものである。ここで、経糸また緯糸は、それぞれ色の異なる複数の糸を所定の順序で並べたものを組とし、この組を繰り返し配置して使用される。以下、経糸について、このような配置をした例で説明するが、緯糸についてこのような配置をさせる場合も同様である。さらに、経糸と緯糸の双方にこのような配置をさせることも本発明に含まれる。
【００１３】
経糸２ａ、２ｂ、２ｃ…はそれぞれ異なる色で染められたものであり、これらが決まった順序で並べられており、１つの糸の組２を形成する。ここで、１つの糸の組２を構成する糸の本数（種類の数）は、織物上に表現しようとする柄の色の数や精密さを考慮して適宜選択すればよい。ただし、あまりに少ないと表現できる色彩が限られてしまい、また、多すぎると織目組織が粗くなりすぎるので、５本〜８本の糸を組にするのが好ましい。特に６本の場合が、十分な色の表現力と精密な織目を得るために適していることが、鋭意検討した結果、判明した。
【００１４】
経糸は糸の組２を単位として、この糸の組２が繰り返すように配置される。したがって、整経ボビン（図示省略）には、経糸が２ａ、２ｂ、２ｃ…、２ａ、２ｂ、２ｃ…と規則的に繰り返す状態に並べられて巻き取られている。このように、少数の糸による繰り返しにしたがって整経ボビンに糸を並べるのは単純で比較的楽な作業である。従来の経糸による模様表現技術の場合には、模様に合わせて多種類の糸を複雑な順番に従って取り付けなければならないことを考慮すると、整経ボビンの準備作業は格段に軽減される。
【００１５】
経糸２ａ、２ｂ、２ｃ…はジャガード機によってそれぞれ独立に上げ下げされる。そして、各織目格子において、１つの糸の組２を単位として表面に出す糸を決定していく。たとえばＡ領域においては、経糸２ａと経糸２ｂを表に出しており、他の経糸２ｃ、２ｄ…は表面に出さないようにしている。このように、色の異なる２本の経糸２ａ、２ｂを近接して表に出すことによって、Ａ領域には経糸２ａと経糸２ｂの中間色が表現される。また、３本、４本の経糸を表に出してもよく、ｎ本の糸で構成される１つの糸の組２から選択できる組合せは２のｎ乗通りになる。
【００１６】
Ｂ領域では、３本の経糸２ａ、２ｂ、２ｃが表に現れているが、それぞれの糸が表に表れる程度が異なる。経糸２ａは緯糸３本分だけ表に表れているのに対し、経糸２ｂ、２ｃはそれぞれ緯糸２本分および１本分だけ表れている。したがって、Ｂ領域では、経糸２ａの色が最も強く表れ、ついで経糸２ｂ、２ｃの順の強さで各色が表れる。したがって、Ｂ領域に表現される色は３色がこの比率で混ぜ合わされた混合色になる。このように各糸が表に出る比率を変えることによって、表現できる色の数はさらに増える。
【００１７】
どの点にどの色を表すかはジャガード機の経糸切り替え操作のみで制御できる。つまり、織物上のどの点においても、多数の色から自由に選択した色を表現できることになる。このことは、織物の柄を変更する場合にも、ジャガード機の経糸切り替え操作の制御を変更することのみで行えることを意味する。使用する糸や整経ボビンを変更する必要がなくなることにより、柄の変更が容易に行えるようになり、多種の柄の織物を少量ずつ生産しても、さほどコストはあがらず、低価格で需要者に供給できる。
【００１８】
なお、Ａ領域においては、表現されない色の経糸２ｃ、２ｄ…は表面に出てこない。１つの糸の組２を多数の糸で構成すると、表に出ない糸の本数が多くなりすぎることがありうる。また、１つの糸の組２の幅が広くなるので、模様を構成する点が大きくなり、模様が粗くなる。したがって、１つの糸の組２を構成する糸は必要な数にとどめることが好ましい。５〜８本、特に６本程度にして、使用頻度の高い色の糸を選択するようにすることが好ましい。
【実施例１】
【００１９】
この発明の実施例について説明する。この実施例においては、それぞれ色の異なる６本の経糸を１つの組にして、この組が繰り返すように整経ボビンに巻いた。経糸はアクリルで、１９番手双糸（３００ｄ／２）を使用した。緯糸はアクリルで、４番手双糸（１３００ｄ／２）と１９番手双糸（３００ｄ／２）を交互に使用した。アニメーションのキャラクターを背景と共に柄として表し、厚めの敷物用の織物を作成した。このようにして織物上に表現された柄は先染め糸による織物の味わいを持ちながらも、色彩豊かで精密なものとなった。
【産業上の利用可能性】
【００２０】
この発明は、少ない種類の糸によって、織物の柄を色彩豊かで精密に表現することができる新しい織布方法として利用できるものである。柄を変更する際にも使用する糸の変更や生産設備・生産工程への変更も少なく、多種・少量生産にも対応できるものである。このようにして生産される織物は、先染め糸による織物の味わいを持ちながらも、色彩豊かで精密なものであり、付加価値の高いものである。
【図面の簡単な説明】
【００２１】
【図１】本発明の織物を示す説明図である。
【符号の説明】
【００２２】
１．織物
２．糸の組
３．緯糸
【図１】
2005206965.tif 000003